(57)【要約】      （修正有）【課題】水稲用育苗箱専用の洗浄機及び野菜用育苗箱専用の洗浄機の二種類の洗浄機を用意することがなくなり、育苗箱洗浄の作業性を向上することができ、経済性を向上することができる育苗箱洗浄機を提供する。【解決手段】四角板状の底板部の周囲縁部に立上壁部が形成された箱トレイ状の水稲用育苗箱又は四角板状の基板部に複数個の凹部状のポット部が縦横に配列形成されたセルトレイ状の野菜用育苗箱の両育苗箱を選択して水平搬送する搬送機構Ａと、両育苗箱の搬送経路途中に両育苗箱を洗浄する噴射水洗浄機構Ｂとを備えてなる。【選択図】図１
2018064488.tif 000002
【特許請求の範囲】
【請求項１】
四角板状の底板部の周囲縁部に立上壁部が形成された箱トレイ状の水稲用育苗箱及び四角板状の基板部に複数個の凹部状のポット部が縦横に配列形成されたセルトレイ状の野菜用育苗箱の両育苗箱を水平搬送する搬送機構と、該両育苗箱の搬送経路途中に該両育苗箱を洗浄する噴射水洗浄機構とを備えてなり、上記搬送機構として、上記水稲用育苗箱及び上記野菜用育苗箱の両育苗箱の搬送方向の入口側位置に上下一対の上導入軸及び下導入軸が横設され、該両育苗箱の搬送方向の出口側位置に上下一対の上導出軸及び下導出軸が横設され、該上導入軸及び該下導入軸並びに該上導出軸及び該下導出軸の搬送方向左右両側位置に上方に開口する状態で搬送される上記水稲用育苗箱の搬送方向左右の両立上壁部を挟装して該水稲用育苗箱を搬送可能な左右一対の搬送ローラーが設けられ、該上導入軸及び該上導出軸の中間位置に上記水稲用育苗箱の搬送方向前後の両立上壁部に接触し、又は、上記野菜用育苗箱の複数個のポット部に接触して、水稲用育苗箱又は野菜用育苗箱を搬送可能な上搬送ブラシが設けられ、該下導入軸及び該下導出軸の中間位置に上記水稲用育苗箱及び複数個の凹部状のポット部が下方に開口する裏返状態で搬送される上記野菜用育苗箱の裏面側に接触して該水稲用育苗箱及び該野菜用育苗箱を搬送可能な下搬送ブラシが設けられ、該両育苗箱の搬送方向の中間位置に上下一対の上回転軸及び下回転軸が横設され、該上回転軸に水稲用育苗箱及び野菜用育苗箱の表面側に接触して両育苗箱を搬送可能な上回転ブラシが設けられ、該下回転軸に水稲用育苗箱及び野菜用育苗箱の裏面側に回転接触可能な下回転ブラシが設けられてなることを特徴とする育苗箱洗浄機。
【請求項２】
上記両育苗箱の搬送方向の中間位置に上下一対の上回転軸及び下回転軸が複数個横設され、該各上回転軸に水稲用育苗箱及び野菜用育苗箱の表面側に接触して両育苗箱を搬送可能な上回転ブラシが設けられ、該各下回転軸に水稲用育苗箱及び野菜用育苗箱の裏面側に回転接触可能な下回転ブラシが設けられてなることを特徴とする請求項１記載の育苗箱洗浄機。
【請求項３】
上記上回転軸に上記水稲用育苗箱の側面部に接触可能な側面ブラシ及び該水稲用育苗箱の立上壁部内面に接触可能な斜めブラシが設けられてなることを特徴とする請求項１又は２記載の育苗箱洗浄機。
【請求項４】
上記搬送機構として、上記上導入軸及び下導入軸並びに上記上導出軸及び下導出軸を搬送回転させる搬送用モータが設けられ、上記上回転軸及び下回転軸を回転させる回転用モータが横設され、該搬送用モータ及び該回転用モータの回転速度を制御可能な速度制御手段が設けられてなることを特徴とする請求項１〜３のいずれか１項に記載の育苗箱洗浄機。
【請求項５】
上記噴射水洗浄機構として、上記両育苗箱の搬送経路途中に該両育苗箱の表面側及び裏面側に洗浄水を噴射可能な複数個の噴射ノズルが配設され、該噴射ノズルに高圧水を供給可能な圧送ポンプが接続されてなることを特徴とする請求項１〜４のいずれか１項に記載の育苗箱洗浄機。
【発明の詳細な説明】
【技術分野】
【０００１】
本発明は、箱トレイ状の水稲用育苗箱及びセルトレイ状の野菜用育苗箱の両育苗箱を洗浄する育苗箱洗浄機に関するものである。
【背景技術】
【０００２】
従来この種の育苗箱洗浄機として、図１３に示す、箱トレイ状の水稲用育苗箱Ｈや、図１４に示す、セルトレイ状の野菜用育苗箱Ｓの二種類の育苗箱Ｈ・Ｓを洗浄する育苗箱洗浄機が知られている。
【先行技術文献】
【特許文献】
【０００３】
【特許文献１】特許第３８９７８８２号公報
【特許文献２】特許第４５７５５４５号公報
【特許文献３】特許第５８１３３３３号公報
【発明の概要】
【発明が解決しようとする課題】
【０００４】
しかしながら上記従来構造の場合、水稲用育苗箱専用の洗浄機及び野菜用育苗箱専用の洗浄機が使用されており、二種類の育苗箱を兼用で洗浄する洗浄機は全く存在せず、加えて、水稲用育苗箱は野菜用育苗箱のセルトレイのアンダートレイとされることもあり、また、野菜用育苗箱の洗浄によりポット苗の引き抜きが容易となることなどもあって、水稲用育苗箱及び野菜用育苗箱の両育苗箱の洗浄作業が増加しており、このため、沢山の育苗箱を洗浄する必要が生じ、専用の洗浄機をさらに用意する必要があり、それだけ、経済性が低下することがあるという不都合を有している。
【課題を解決するための手段】
【０００５】
本発明はこれらの不都合を解決することを目的とするもので、本発明のうちで、請求項１記載の発明は、四角板状の底板部の周囲縁部に立上壁部が形成された箱トレイ状の水稲用育苗箱及び四角板状の基板部に複数個の凹部状のポット部が縦横に配列形成されたセルトレイ状の野菜用育苗箱の両育苗箱を水平搬送する搬送機構と、該両育苗箱の搬送経路途中に該両育苗箱を洗浄する噴射水洗浄機構とを備えてなり、上記搬送機構として、上記水稲用育苗箱及び上記野菜用育苗箱の両育苗箱の搬送方向の入口側位置に上下一対の上導入軸及び下導入軸が横設され、該両育苗箱の搬送方向の出口側位置に上下一対の上導出軸及び下導出軸が横設され、該上導入軸及び該下導入軸並びに該上導出軸及び該下導出軸の搬送方向左右両側位置に上方に開口する状態で搬送される上記水稲用育苗箱の搬送方向左右の両立上壁部を挟装して該水稲用育苗箱を搬送可能な左右一対の搬送ローラーが設けられ、該上導入軸及び該上導出軸の中間位置に上記水稲用育苗箱の搬送方向前後の両立上壁部に接触し、又は、上記野菜用育苗箱の複数個のポット部に接触して、水稲用育苗箱又は野菜用育苗箱を搬送可能な上搬送ブラシが設けられ、該下導入軸及び該下導出軸の中間位置に上記水稲用育苗箱及び複数個の凹部状のポット部が下方に開口する裏返状態で搬送される上記野菜用育苗箱の裏面側に接触して該水稲用育苗箱及び該野菜用育苗箱を搬送可能な下搬送ブラシが設けられ、該両育苗箱の搬送方向の中間位置に上下一対の上回転軸及び下回転軸が横設され、該上回転軸に水稲用育苗箱及び野菜用育苗箱の表面側に接触して両育苗箱を搬送可能な上回転ブラシが設けられ、該下回転軸に水稲用育苗箱及び野菜用育苗箱の裏面側に回転接触可能な下回転ブラシが設けられてなることを特徴とする育苗箱洗浄機にある。
【０００６】
又、請求項２記載の発明は、上記両育苗箱の搬送方向の中間位置に上下一対の上回転軸及び下回転軸が複数個横設され、該各上回転軸に水稲用育苗箱及び野菜用育苗箱の表面側に接触して両育苗箱を搬送可能な上回転ブラシが設けられ、該各下回転軸に水稲用育苗箱及び野菜用育苗箱の裏面側に回転接触可能な下回転ブラシが設けられてなることを特徴とするものであり、又、請求項３記載の発明は、上記上回転軸に上記水稲用育苗箱の側面部に接触可能な側面ブラシ及び該水稲用育苗箱の立上壁部内面に接触可能な斜めブラシが設けられてなることを特徴とするものである。
【０００７】
又、請求項４記載の発明は、上記搬送機構として、上記上導入軸及び下導入軸並びに上記上導出軸及び下導出軸を搬送回転させる搬送用モータが設けられ、上記上回転軸及び下回転軸を回転させる回転用モータが横設され、該搬送用モータ及び該回転用モータの回転速度を制御可能な速度制御手段が設けられてなることを特徴とするものであり、又、請求項５記載の発明は、上記噴射水洗浄機構として、上記両育苗箱の搬送経路途中に該両育苗箱の表面側及び裏面側に洗浄水を噴射可能な複数個の噴射ノズルが配設され、該噴射ノズルに高圧水を供給可能な圧送ポンプが接続されてなることを特徴とするものである。
【発明の効果】
【０００８】
本発明は上述の如く、請求項１記載の発明にあっては、水稲用育苗箱の洗浄にあっては、水稲用育苗箱を搬送方向の入口側位置に人為的又は自動的に供給し、上記搬送機構の上下一対の上導入軸及び下導入軸に設けた左右一対の搬送ローラーは上方に開口する状態で搬送される上記水稲用育苗箱の搬送方向左右の両立上壁部を挟装して水稲用育苗箱を搬送し、上導入軸の中間位置に設けた上搬送ブラシは水稲用育苗箱の搬送方向前後の両立上壁部に接触して水稲用育苗箱を搬送し、下導入軸の中間位置に設けた下搬送ブラシは水稲用育苗箱の裏面側に接触して水稲用育苗箱を搬送し、上回転軸に設けた上回転ブラシは水稲用育苗箱の表面側に接触して水稲用育苗箱を搬送し、下回転軸に設けた下回転ブラシは水稲用育苗箱の裏面側に回転接触し、そして、搬送方向出口側位置において、上導出軸の中間位置に設けた上搬送ブラシは水稲用育苗箱の搬送方向前後の両立上壁部に接触して水稲用育苗箱を搬送し、下導出軸の中間位置に設けた下搬送ブラシは水稲用育苗箱の裏面側に接触して水稲用育苗箱を排出搬送し、上下一対の上導出軸及び下導出軸に設けた左右一対の搬送ローラーは上方に開口する状態で搬送される上記水稲用育苗箱の搬送方向左右の両立上壁部を挟装して水稲用育苗箱を排出搬送し、これらの搬送経路途中において、噴射水洗浄機構により水稲用育苗箱は洗浄されることになり、又、野菜用育苗箱の洗浄にあっては、野菜用育苗箱を搬送方向の入口側位置に人為的又は自動的に供給し、上記搬送機構の上導入軸の中間位置に設けた上搬送ブラシは複数個の凹部状のポット部が下方に開口する裏返状態で搬送される上記野菜用育苗箱の複数個のポット部の表面側に接触して野菜用育苗箱を搬送し、下導入軸の中間位置に設けた下搬送ブラシは上記野菜用育苗箱の複数個のポット部の裏面側に接触して野菜用育苗箱を搬送し、上回転軸に設けた上回転ブラシは野菜用育苗箱の表面側に接触して野菜用育苗箱を搬送し、下回転軸に設けた下回転ブラシは野菜用育苗箱の裏面側に回転接触し、そして、搬送方向出口側位置において、上導出軸の中間位置に設けた上搬送ブラシは複数個の凹部状のポット部が下方に開口する裏返状態で搬送される上記野菜用育苗箱の複数個のポット部の表面側に接触して野菜用育苗箱を搬送し、下導出軸の中間位置に設けた下搬送ブラシは上記野菜用育苗箱の複数個の凹部状のポット部の裏面側に接触して野菜用育苗箱を排出搬送し、これらの搬送経路途中において、噴射水洗浄機構により野菜用育苗箱は洗浄されることになり、したがって、上記搬送機構により四角板状の底板部の周囲縁部に立上壁部が形成された箱トレイ状の水稲用育苗箱又は四角板状の基板部に複数個の凹部状のポット部が縦横に配列形成されたセルトレイ状の野菜用育苗箱の両育苗箱を選択して水平搬送し、両育苗箱の搬送経路途中において、噴射水洗浄機構により両育苗箱を洗浄することができ、水稲用育苗箱専用の洗浄機及び野菜用育苗箱専用の洗浄機の二種類の洗浄機を用意することがなくなり、育苗箱洗浄の作業性を向上することができ、経済性を向上することができる。
【０００９】
又、請求項２記載の発明にあっては、上記両育苗箱の搬送方向の中間位置に上下一対の上回転軸及び下回転軸が複数個横設され、各上回転軸に水稲用育苗箱及び野菜用育苗箱の表面側に接触して両育苗箱を搬送可能な上回転ブラシが設けられ、各下回転軸に水稲用育苗箱及び野菜用育苗箱の裏面側に回転接触可能な下回転ブラシが設けられているから、複数個の各上回転ブラシ及び複数個の各下回転ブラシにより水稲用育苗箱及び野菜用育苗箱の表面側及び裏面側を洗浄することができ、洗浄効率を向上することができ、又、請求項３記載の発明にあっては、上記上回転軸に上記水稲用育苗箱の側面部に接触可能な側面ブラシ及び水稲用育苗箱の立上壁部内面に接触可能な斜めブラシが設けられているから、水稲用育苗箱の洗浄効率を向上することができる。
【００１０】
又、請求項４記載の発明にあっては、上記搬送機構として、上記上導入軸及び下導入軸並びに上記上導出軸及び下導出軸を搬送回転させる搬送用モータが設けられ、上記上回転軸及び下回転軸を回転させる回転用モータが横設され、搬送用モータ及び回転用モータの回転速度を制御可能な速度制御手段が設けられているから、上記搬送ローラー、上搬送ブラシ及び下搬送ブラシの回転速度と上回転ブラシ及び下回転ブラシの回転速度を制御することができると共にそれら各回転速度の相対速度を制御することができ、両育苗箱の搬送を円滑に行うことができると共に洗浄作業性を向上することができ、又、請求項５記載の発明にあっては、上記噴射水洗浄機構として、上記両育苗箱の搬送経路途中に両育苗箱の表面側及び裏面側に洗浄水を噴射可能な複数個の噴射ノズルが配設され、噴射ノズルに高圧水を供給可能な圧送ポンプが接続されているから、両育苗箱の洗浄作業性を向上することができると共に噴射水洗浄機構の構造を簡素化することができる。
【図面の簡単な説明】
【００１１】
【図１】本発明の実施の形態例の全体側断面図である。
【図２】本発明の実施の形態例の全体平断面図である。
【図３】本発明の実施の形態例の全体平断面図である。
【図４】本発明の実施の形態例の全体側断面図である。
【図５】本発明の実施の形態例の縦断面図である。
【図６】本発明の実施の形態例の縦断面図である。
【図７】本発明の実施の形態例の使用状態の部分側断面図である。
【図８】本発明の実施の形態例の縦断面図である。
【図９】本発明の実施の形態例の縦断面図である。
【図１０】本発明の実施の形態例の使用状態の部分側断面図である。
【図１１】本発明の実施の形態例の縦断面図である。
【図１２】本発明の実施の形態例の縦断面図である。
【図１３】水稲用育苗箱の斜視図である。
【図１４】野菜用育苗箱の斜視図である。
【発明を実施するための形態】
【００１２】
図１乃至図１４は本発明の実施の形態例を示し、大別して、図１３に示す如く、四角板状の底板部Ｈ１の周囲縁部に立上壁部Ｈ２・Ｈ２・Ｈ３・Ｈ３が形成され、底板部Ｈ１に複数個の排水穴Ｈ４が形成された箱トレイ状の水稲用育苗箱Ｈ及び図１４に示す如く、四角板状の基板部Ｓ１に複数個の凹部状のポット部Ｓ２・・が縦横に配列形成され、ポット部Ｓ２・・に排水穴Ｓ３・・・が形成されたセルトレイ状の野菜用育苗箱Ｓの両育苗箱Ｈ・Ｓを水平搬送する搬送機構Ａと、両育苗箱Ｈ・Ｓの搬送経路途中に両育苗箱Ｈ・Ｓを洗浄する噴射水洗浄機構Ｂとを備えて構成されている。
【００１３】
そして、図１、図２、図３、図５の如く、上記搬送機構Ａとして、洗浄機体１に上記水稲用育苗箱Ｈ及び上記野菜用育苗箱Ｓの両育苗箱Ｈ・Ｓの搬送方向Ｌの入口側位置Ｉに上下一対の上導入軸２及び下導入軸３が回転自在に横設され、両育苗箱Ｈ・Ｓの搬送方向Ｌの出口側位置Ｄに上下一対の上導出軸４及び下導出軸５が回転自在に横設され、搬送方向Ｌの入口側位置Ｉと出口側位置Ｄとの間に水稲用育苗箱Ｈの底板部Ｈ１及び野菜用育苗箱Ｓの基板部Ｓ１を載置可能な搬送ガイドＧを配置し、上導入軸２及び下導入軸３並びに上導出軸４及び下導出軸５の搬送方向Ｌ左右両側位置に上方に開口する状態で搬送される上記水稲用育苗箱Ｈの搬送方向Ｌ左右の両立上壁部Ｈ２・Ｈ２を挟装して水稲用育苗箱Ｈを搬送可能な左右一対の搬送ローラー６・６・７・７が設けられ、かつ、上導入軸２及び上導出軸４の中間位置に上記水稲用育苗箱Ｈの搬送方向Ｌ前後の両立上壁部Ｈ３・Ｈ３に接触し、又は、上記野菜用育苗箱Ｓの複数個のポット部Ｓ２・・に接触して、水稲用育苗箱Ｈ又は野菜用育苗箱Ｓを搬送可能な上搬送ブラシ８・８が設けられ、下導入軸３及び下導出軸５の中間位置に上記水稲用育苗箱Ｈ及び複数個の凹部状のポット部Ｓ２・・が下方に開口する裏返状態で搬送される上記野菜用育苗箱Ｓの裏面側に接触して水稲用育苗箱Ｈ及び野菜用育苗箱Ｓを搬送可能な下搬送ブラシ９・９が設けられ、両育苗箱Ｈ・Ｓの搬送方向Ｌの中間位置に上下一対の上回転軸１０及び下回転軸１１が横設され、上回転軸１０に水稲用育苗箱Ｈ及び野菜用育苗箱Ｓの表面側に接触して両育苗箱Ｈ・Ｓを搬送可能な上回転ブラシ１２が設けられ、下回転軸１１に水稲用育苗箱Ｈ及び野菜用育苗箱Ｓの裏面側に回転接触可能な下回転ブラシ１３が設けられている。
【００１４】
この場合、図１の如く、上記両育苗箱Ｈ・Ｓの搬送方向Ｌの中間位置に上下一対の上回転軸１０・１０及び下回転軸１１・１１が複数個、この場合、２個宛横設され、各上回転軸１０・１０に水稲用育苗箱Ｈ及び野菜用育苗箱Ｓの表面側に接触して両育苗箱Ｈ・Ｓを搬送可能な上回転ブラシ１２が設けられ、各下回転軸１１・１１に水稲用育苗箱Ｈ及び野菜用育苗箱Ｓの裏面側に回転接触可能な下回転ブラシ１３が設けられている。
【００１５】
又、この場合、図２、図６の如く、上記上回転軸１０・１０に上記水稲用育苗箱Ｈの側面部に接触可能な側面ブラシ１２ａ・１２ａ及び水稲用育苗箱Ｈの立上壁部Ｈ２・Ｈ２内面に接触可能な斜めブラシ１２ｂ・１２ｂが設けられている。
【００１６】
又、この場合、図２、図３、図４の如く、上記搬送機構Ａとして、上記上導入軸２及び下導入軸３並びに上記上導出軸４及び下導出軸５を搬送回転させる駆動系統Ａ１及び上記各上回転軸１０・１０及び各下回転軸１１・１１を回転させる駆動系統Ａ２から構成され、駆動系統Ａ１においては、上記上導入軸２、下導入軸３、上記上導出軸４及び下導出軸５に従動スプロケット２ａ・３ａ・４ａ・５ａを取り付け、上記上導入軸２及び上導出軸４は支点ピン１９を中心として揺動可能なレバー１８に回転自在に取り付けられ、レバー１８と洗浄機体１との間に挟装用バネ２０が掛架され、レバー１８の下限位置を決めるストッパ２１が設けられ、これにより搬送ローラー６・６・７・７は上下弾圧揺動自在に設けられ、搬送用モータＭＦの主軸に駆動スプロケットＫＦを固定し、従動スプロケット２ａ・３ａ・４ａ・５ａ、張架スプロケットＴＦ及び駆動スプロケットＫＦに循回チェーンＪＦを掛回し、又、駆動系統Ａ２においては、上記各上回転軸１０・１０及び各下回転軸１１・１１に従動スプロケット１０ａ・１０ａ・１１ａ・１１ａを取り付け、従動スプロケット１０ａ・１０ａ・１１ａ・１１ａ及び張架スプロケットＴＫに循回チェーンＪＫを掛回し、下回転軸１１に設けた従動スプロケット１１ｂと回転用モータＭＫの主軸に固定された駆動スプロケットＫＫとの間に駆動チェーンＣＫを掛回し、上記搬送用モータＭＦ及び上記回転用モータＭＫの回転速度を制御可能な速度制御手段Ｒ１・Ｒ２が設けられている。
【００１７】
又、この場合、図１、図２、図３の如く、上記噴射水洗浄機構Ｂとして、上記両育苗箱Ｈ・Ｓの搬送経路途中に四角枠状の噴射機体１４を配設し、噴射機体１４に両育苗箱Ｈ・Ｓの表面側及び裏面側に洗浄水を噴射可能な複数個の噴射ノズル１５・・が配設され、噴射ノズル１５・・から高圧な水Ｗが噴射され、噴射された水Ｗは受樋部１６を経て回収口１７から図外の貯水部に貯水され、貯水部の水Ｗは圧送ポンプＰにより吸込まれ、再び、噴射機体１４の複数個の噴射ノズル１５・・から噴射されるように構成されている。
【００１８】
この実施の形態例は上記構成であるから、図１、図７、図８、図９の如く、水稲用育苗箱Ｈの洗浄にあっては、水稲用育苗箱Ｈを搬送方向Ｌの入口側位置Ｉに人為的又は自動的に供給し、上記搬送機構Ａの上下一対の上導入軸２及び下導入軸３に設けた左右一対の搬送ローラー６・６・７・７は上方に開口する状態で搬送される上記水稲用育苗箱Ｈの搬送方向Ｌ左右の両立上壁部Ｈ２・Ｈ２を挟装して水稲用育苗箱Ｈを搬送し、上導入軸２の中間位置に設けた上搬送ブラシ８は水稲用育苗箱Ｈの搬送方向Ｌ前後の両立上壁部Ｈ３・Ｈ３に接触して水稲用育苗箱Ｈを搬送し、下導入軸３の中間位置に設けた下搬送ブラシ９は水稲用育苗箱Ｈの裏面側に接触して水稲用育苗箱Ｈを搬送し、上回転軸１０に設けた上回転ブラシ１２は水稲用育苗箱Ｈの表面側に接触して水稲用育苗箱Ｈを搬送し、下回転軸１１に設けた下回転ブラシ１３は水稲用育苗箱Ｈの裏面側に回転接触し、そして、搬送方向Ｌ出口側位置Ｄにおいて、上導出軸４の中間位置に設けた上搬送ブラシ８は水稲用育苗箱Ｈの搬送方向Ｌ前後の両立上壁部Ｈ３・Ｈ３に接触して水稲用育苗箱Ｈを搬送し、下導出軸５の中間位置に設けた下搬送ブラシ９は水稲用育苗箱Ｈの裏面側に接触して水稲用育苗箱Ｈを排出搬送し、上下一対の上導出軸４及び下導出軸５に設けた左右一対の搬送ローラー６・６・７・７は上方に開口する状態で搬送される上記水稲用育苗箱Ｈの搬送方向Ｌ左右の両立上壁部Ｈ２・Ｈ２を挟装して水稲用育苗箱Ｈを排出搬送し、これらの搬送経路途中において、噴射水洗浄機構Ｂにより水稲用育苗箱Ｈは洗浄されることになる。
【００１９】
又、この場合、図１、図１０、図１１、図１２の如く、野菜用育苗箱Ｈの洗浄にあっては、野菜用育苗箱Ｓを搬送方向Ｌの入口側位置Ｉに人為的又は自動的に供給し、上記搬送機構Ａの上導入軸２の中間位置に設けた上搬送ブラシ８は複数個の凹部状のポット部Ｓ２・・が下方に開口する裏返状態で搬送される上記野菜用育苗箱Ｓの複数個のポット部Ｓ２・・の表面側に接触して野菜用育苗箱Ｓを搬送し、下導入軸３の中間位置に設けた下搬送ブラシ９は上記野菜用育苗箱Ｓの複数個のポット部Ｓ２・・の裏面側に接触して野菜用育苗箱Ｓを搬送し、上回転軸１０に設けた上回転ブラシ１２は野菜用育苗箱Ｓの表面側に接触して野菜用育苗箱Ｓを搬送し、下回転軸１１に設けた下回転ブラシ１３は野菜用育苗箱Ｓの裏面側に回転接触し、そして、搬送方向Ｌ出口側位置Ｄにおいて、上導出軸４の中間位置に設けた上搬送ブラシ８は複数個の凹部状のポット部Ｓ２・・が下方に開口する裏返状態で搬送される上記野菜用育苗箱Ｓの複数個のポット部Ｓ２・・の表面側に接触して野菜用育苗箱Ｓを搬送し、下導出軸５の中間位置に設けた下搬送ブラシ９は上記野菜用育苗箱Ｓの複数個の凹部状のポット部Ｓ２・・の裏面側に接触して野菜用育苗箱Ｓを排出搬送し、これらの搬送経路途中において、噴射水洗浄機構Ｂにより野菜用育苗箱Ｓは洗浄されることになる。
【００２０】
したがって、上記搬送機構Ａにより四角板状の底板部Ｈ１の周囲縁部に立上壁部Ｈ２・Ｈ２・Ｈ３・Ｈ３が形成された箱トレイ状の水稲用育苗箱Ｈ又は四角板状の基板部Ｓ１に複数個の凹部状のポット部Ｓ２・・が縦横に配列形成されたセルトレイ状の野菜用育苗箱Ｓの両育苗箱Ｈ・Ｓを選択して水平搬送し、両育苗箱Ｈ・Ｓの搬送経路途中において、噴射水洗浄機構Ｂにより両育苗箱Ｈ・Ｓを洗浄することができ、水稲用育苗箱Ｈ専用の洗浄機及び野菜用育苗箱Ｓ専用の洗浄機の二種類の洗浄機を用意することがなくなり、育苗箱洗浄の作業性を向上することができ、経済性を向上することができる。
【００２１】
この場合、図１、図２、図６の如く、上記両育苗箱Ｈ・Ｓの搬送方向Ｌの中間位置に上下一対の上回転軸１０・１０及び下回転軸１１・１１が複数個、この場合、２個宛横設され、各上回転軸１０・１０に水稲用育苗箱Ｈ及び野菜用育苗箱Ｓの表面側に接触して両育苗箱Ｈ・Ｓを搬送可能な上回転ブラシ１２が設けられ、各下回転軸１１・１１に水稲用育苗箱Ｈ及び野菜用育苗箱Ｓの裏面側に回転接触可能な下回転ブラシ１３が設けられているから、複数個の各上回転ブラシ１２・・及び複数個の各下回転ブラシ１３・・により水稲用育苗箱Ｈ及び野菜用育苗箱Ｓの表面側及び裏面側を洗浄することができ、洗浄効率を向上することができ、又、この場合、上記上回転軸１０・１０に上記水稲用育苗箱Ｈの側面部に接触可能な側面ブラシ１２ａ及び水稲用育苗箱Ｈの立上壁部Ｈ２・Ｈ２内面に接触可能な斜めブラシ１２ｂが設けられているから、水稲用育苗箱Ｈの洗浄効率を向上することができる。
【００２２】
又、この場合、図４の如く、上記搬送機構Ａとして、上記上導入軸２及び下導入軸３並びに上記上導出軸４及び下導出軸５を搬送回転させる搬送用モータＭＦが設けられ、上記上回転軸１０及び下回転軸１１を回転させる回転用モータＭＫが横設され、搬送用モータＭＦ及び回転用モータＭＫの回転速度を制御可能な速度制御手段Ｒ１・Ｒ２が設けられているから、上記搬送ローラー６・６・７・７、上搬送ブラシ８及び下搬送ブラシ９の回転速度と上回転ブラシ１２及び下回転ブラシ１３の回転速度を制御することができると共にそれら各回転速度の相対速度を制御することができ、両育苗箱Ｈ・Ｓの搬送を円滑に行うことができると共に洗浄作業性を向上することができ、又、この場合、上記噴射水洗浄機構Ｂとして、図１の如く、上記両育苗箱Ｈ・Ｓの搬送経路途中に両育苗箱Ｈ・Ｓの表面側及び裏面側に洗浄水を噴射可能な複数個の噴射ノズル１５・・が配設され、噴射ノズル１５・・に高圧水を供給可能な圧送ポンプＰが接続されているから、両育苗箱Ｈ・Ｓの洗浄作業性を向上することができると共に噴射水洗浄機構Ｂの構造を簡素化することができる。
【００２３】
尚、本発明は上記実施の形態例に限られるものではなく、水稲用育苗箱Ｈ、野菜用育苗箱Ｓ、搬送機構Ａ、噴射水洗浄機構Ｂ、速度制御手段Ｒ１・Ｒ２、搬送ブラシ８・９、上回転ブラシ１２、下回転ブラシ１３、噴射ノズル１５の構造や形状、数等は適宜変更して設計されるものである。
【００２４】
以上、所期の目的を充分達成することができる。
【符号の説明】
【００２５】
Ｈ    水稲用育苗箱
Ｈ１    底板部
Ｈ２    立上壁部
Ｈ３    立上壁部
Ｓ    野菜用育苗箱
Ｓ１    基板部
Ｓ２    ポット部
Ａ    搬送機構
Ｂ    噴射水洗浄機構
Ｌ    搬送方向
Ｉ    入口側位置
Ｄ    出口側位置
ＭＦ    搬送用モータ
ＭＫ    回転用モータ
Ｒ１    速度制御手段
Ｒ２    速度制御手段
Ｐ    圧送ポンプ
２    上導入軸
３    下導入軸
４    上導出軸
５    下導出軸
６    搬送ローラー
７    搬送ローラー
８    上搬送ブラシ
９    下搬送ブラシ
１０    上回転軸
１１    下回転軸
１２    上回転ブラシ
１２ａ    側面ブラシ
１２ｂ    斜めブラシ
１３    下回転ブラシ
１５    噴射ノズル
【図１】
2018064488.tif 000003
【図２】
2018064488.tif 000004
【図３】
2018064488.tif 000005
【図４】
2018064488.tif 000006
【図５】
2018064488.tif 000007
【図６】
2018064488.tif 000008
【図７】
2018064488.tif 000009
【図８】
2018064488.tif 000010
【図９】
2018064488.tif 000011
【図１０】
2018064488.tif 000012
【図１１】
2018064488.tif 000013
【図１２】
2018064488.tif 000014
【図１３】
2018064488.tif 000015
【図１４】
2018064488.tif 000016